(57)【特許請求の範囲】
【請求項１】
無線送受信ユニット（ＷＴＲＵ）によって実行される方法であって、前記方法は、
前記ＷＴＲＵが、第１のコンポーネントキャリアを介して、前記ＷＴＲＵの帯域幅集約能力を示すメッセージを送るステップであって、前記帯域幅集約能力は、前記ＷＴＲＵが複数のコンポーネントキャリアを同時にサポートすることができることを示す、ステップと、
前記ＷＴＲＵが、前記第１のコンポーネントキャリアを介して、無線リソース制御（ＲＲＣ）再構成メッセージを受信するステップであって、前記ＲＲＣ再構成メッセージは、少なくとも１つの追加のコンポーネントキャリアを有効にするために前記ＷＴＲＵをトリガーすることなく、前記少なくとも１つの追加のコンポーネントキャリアをサポートするように前記ＷＴＲＵを予め構成する、ステップと、
前記ＷＴＲＵが、前記第１のコンポーネントキャリアを介して、媒体アクセス制御（ＭＡＣ）制御要素（ＣＥ）を受信するステップであって、前記ＭＡＣ  ＣＥは、前記少なくとも１つの追加のコンポーネントキャリアが有効にされることになることを示す、ステップと、
前記ＷＴＲＵが、前記ＭＡＣ  ＣＥを受信することに基づいて、前記少なくとも１つの追加のコンポーネントキャリアに対する処理を有効にするステップと
を備えることを特徴とする方法。
【請求項２】
前記ＷＴＲＵが前記少なくとも１つの追加のコンポーネントキャリアに対する処理を有効にするステップは、前記少なくとも１つの追加のコンポーネントキャリアに対する物理ダウンリンク制御チャネル（ＰＤＣＣＨ）の受信を開始するステップを含むことを特徴とする請求項１に記載の方法。
【請求項３】
前記ＭＡＣ  ＣＥは、予め構成されたコンポーネントキャリアが有効にされることになることを示すビット組み合わせフィールドを含むことを特徴とする請求項１に記載の方法。
【請求項４】
前記ＲＲＣ再構成メッセージは、ビット組み合わせフィールドを、前記少なくとも１つの追加のコンポーネントキャリアに割り当て、および前記方法は、前記ＲＲＣ再構成メッセージにおける前記少なくとも１つの追加のコンポーネントキャリアに割り当てられた前記ビット組み合わせフィールド、および前記ＭＡＣ  ＣＥに含まれる前記ビット組み合わせフィールドに基づいて、前記少なくとも１つの追加のコンポーネントキャリアが有効にされることになることを判定するステップをさらに備えることを特徴とする請求項３に記載の方法。
【請求項５】
前記ＭＡＣ  ＣＥは、複数のコンポーネントキャリアの同時有効化を、前記複数のコンポーネントキャリアに対応する複数のビット組み合わせを集約することにより、トリガーすることを特徴とする請求項３に記載の方法。
【請求項６】
有効なコンポーネントキャリアごとに無効化タイマーを保持するステップをさらに備え、前記有効なコンポーネントキャリアに対する前記無効化タイマーの満了次第、前記ＷＴＲＵは、前記有効なコンポーネントキャリアに対する物理ダウンリンク制御チャネル（ＰＤＣＣＨ）を監視することを停止することを特徴とする請求項１に記載の方法。
【請求項７】
前記無効化タイマーは、リソースが前記有効なコンポーネントキャリア上の前記ＷＴＲＵに割り当てられてからの非活動時間に対応することを特徴とする請求項６に記載の方法。
【請求項８】
前記ＲＲＣ再構成メッセージは、セル識別、および前記少なくとも１つの追加のコンポーネントキャリアに対するキャリア中心周波数を含むことを特徴とする請求項１に記載の方法。
【請求項９】
前記ＷＴＲＵが、後続のＭＡＣ  ＣＥを受信するステップであって、前記後続のＭＡＣ  ＣＥは、前記ＷＴＲＵが前記少なくとも１つの追加のコンポーネントキャリアを無効にすることになることを示す、ステップと、
前記ＷＴＲＵが、前記後続のＭＡＣ  ＣＥを受信することに基づいて、前記少なくとも１つの追加のコンポーネントキャリアに対する処理を停止するステップ
をさらに備えることを特徴とする請求項１に記載の方法。
【請求項１０】
前記ＭＡＣ  ＣＥが受信される場合に関連する所定の遅延の後、前記ＷＴＲＵは、前記少なくとも１つの追加のコンポーネントキャリアに対する処理を有効にすることを特徴とする請求項１に記載の方法。
【請求項１１】
第１のコンポーネントキャリアを介して、無線送受信ユニット（ＷＴＲＵ）の帯域幅集約能力を示すメッセージを送り、前記帯域幅集約能力は、前記ＷＴＲＵが複数のコンポーネントキャリアを同時にサポートすることができることを示し、
前記第１のコンポーネントキャリアを介して、無線リソース制御（ＲＲＣ）再構成メッセージを受信し、前記ＲＲＣ再構成メッセージは、少なくとも１つの追加のコンポーネントキャリアを有効にするために前記ＷＴＲＵをトリガーすることなく、前記少なくとも１つの追加のコンポーネントキャリアをサポートするように前記ＷＴＲＵを予め構成し、
前記第１のコンポーネントキャリアを介して、媒体アクセス制御（ＭＡＣ）制御要素（ＣＥ）を受信するステップであって、前記ＭＡＣ  ＣＥは、前記少なくとも１つの追加のコンポーネントキャリアが有効にされることになることを示し、
前記ＭＡＣ  ＣＥを受信することに基づいて、前記少なくとも１つの追加のコンポーネントキャリアに対する処理を有効にする
ように構成されたことを特徴とするＷＴＲＵ。
【請求項１２】
前記少なくとも１つの追加のコンポーネントキャリアに対する処理を有効にすると、前記少なくとも１つの追加のコンポーネントキャリアに適用できる、制御情報に対する物理ダウンリンク制御チャネル（ＰＤＣＣＨ）を監視するように前記ＷＴＲＵが構成されることを特徴とする請求項１１に記載のＷＴＲＵ。
【請求項１３】
前記ＭＡＣ  ＣＥは、予め構成されたコンポーネントキャリアが有効にされることになることを示すビット組み合わせフィールドを含むことを特徴とする請求項１１に記載のＷＴＲＵ。
【請求項１４】
前記ＲＲＣ再構成メッセージは、ビット組み合わせフィールドを、前記少なくとも１つの追加のコンポーネントキャリアに割り当て、および前記ＲＲＣ再構成メッセージにおける前記少なくとも１つの追加のコンポーネントキャリアに割り当てられた前記ビット組み合わせフィールド、および前記ＭＡＣ  ＣＥに含まれる前記ビット組み合わせフィールドに基づいて、前記少なくとも１つの追加のコンポーネントキャリアが有効にされることになることを判定するように前記ＷＴＲＵが構成されることを特徴とする請求項１３に記載のＷＴＲＵ。
【請求項１５】
前記ＭＡＣ  ＣＥは、複数のコンポーネントキャリアの同時有効化を、前記複数のコンポーネントキャリアに対応する複数のビット組み合わせを集約することにより、トリガーすることを特徴とする請求項１３に記載のＷＴＲＵ。
【請求項１６】
有効なコンポーネントキャリアごとに無効化タイマーを保持するように前記ＷＴＲＵがさらに構成され、および前記有効なコンポーネントキャリアに対する前記無効化タイマーの満了次第、前記有効なコンポーネントキャリアに対する物理ダウンリンク制御チャネル（ＰＤＣＣＨ）を監視することを停止するように前記ＷＴＲＵがさらに構成されることを特徴とする請求項１１に記載のＷＴＲＵ。
【請求項１７】
前記無効化タイマーは、リソースが前記有効なコンポーネントキャリア上の前記ＷＴＲＵに割り当てられてからの非活動時間に対応することを特徴とする請求項１６に記載のＷＴＲＵ。
【請求項１８】
前記ＲＲＣ再構成メッセージは、セル識別、および前記少なくとも１つの追加のコンポーネントキャリアに対するキャリア中心周波数を含むことを特徴とする請求項１１に記載のＷＴＲＵ。
【請求項１９】
後続のＭＡＣ  ＣＥを受信し、前記後続のＭＡＣ  ＣＥは、前記ＷＴＲＵが前記少なくとも１つの追加のコンポーネントキャリアを無効にすることになることを示し、
前記後続のＭＡＣ  ＣＥを受信することに基づいて、前記少なくとも１つの追加のコンポーネントキャリアに対する処理を停止する
ように前記ＷＴＲＵがさらに構成されることを特徴とする請求項１１に記載のＷＴＲＵ。
【請求項２０】
前記ＭＡＣ  ＣＥが受信される場合に関連する所定の遅延の後、前記少なくとも１つの追加のコンポーネントキャリアに対する処理を有効にするように前記ＷＴＲＵが構成されることを特徴とする請求項１１に記載のＷＴＲＵ。
【発明の詳細な説明】
【技術分野】
【０００１】
この出願は無線通信に関する。
【背景技術】
【０００２】
ＬＴＥ−A（Long Term Evolution Advanced）の重要な機能は、より高いデータ速度である。ＷＴＲＵ（Wireless Transmit/Receive Unit：無線送受信ユニット）が、上りリンクおよび下りリンクの両方において同時に複数のＬＴＥコンポーネント・キャリア上にてデータを送受信することを可能とすることにより、これはサポートされる。これはキャリア・アグリゲーション（carrier aggregation）と呼ばれる。
【０００３】
複数のキャリア上にて送受信することは、ＷＴＲＵの電力消費量を著しく増大させる。アナログ・フロント・エンドの電力消費量は、（そのＷＴＲＵでの合計電力消費量のかなりの割合に値するが）、帯域幅または集約された複数の基本周波数ブロック（すなわちコンポーネント・キャリア）に線形的に比例するということが知られている。追加的コンポーネント・キャリアを要求に応じてそして敏速に有効化および無効化することは、ＷＴＲＵリソースを節約すること（例えば、ＨＡＲＱ（Hybrid Automatic Repeat Request：ハイブリッド自動再送要求）処理（ＣＱＩ（Channel Quality Indicator）およびＳＲＳ（Sounding Reference Signal）報告を含む）、バッファー占有率およびバッファー管理（例えばＢＳＲ（Buffer Status Report）報告）、およびスケジューリング処理）、および電力消費量の節約を提供すること、に対して極めて重要である。
【発明の概要】
【０００４】
下りリンクにおける、同時に非隣接または隣接する、ある数のコンポーネント・キャリアを同時に監視および処理することにより、帯域幅集約（bandwidth aggregation）を実行する方法および装置が説明される。ＷＴＲＵは、ｅノードＢにより、追加的コンポーネント・キャリアをサポートするように構成することが可能である。予め構成された追加的コンポーネント・キャリアを使用することができる。追加的コンポーネント・キャリアを有効化または無効化するための様々な方法もまた、説明される。
【図面の簡単な説明】
【０００５】
添付図面に関連して例として与えられる以下の説明から、より詳細な理解を得ることができる。
【図１】ｅノードＢおよびＷＴＲＵを含む無線通信システムを示す図である。
【図２】図１のｅノードＢのブロック図である。
【図３】図１のＷＴＲＵのブロック図である。
【図４】コンポーネント・キャリアを監視および処理するためのプロシージャを示す図である。
【図５】コンポーネント・キャリアを監視および処理するためのプロシージャを示す図である。
【発明を実施するための形態】
【０００６】
今後言及する際、用語「ＷＴＲＵ」は、限定的ではなく、ＵＥ（User Equipment：ユーザー機器）、移動局、固定型または移動体の加入者ユニット、ページャー、携帯電話、ＰＤＡ（Personal Digital Assistant：携帯情報端末）、コンピューター、または無線環境において動作する能力のある他のいかなる種別のユーザー・デバイスも含む。
【０００７】
今後言及する際、用語「ｅノードＢ」は、限定的ではなく、基地局、サイト制御装置、ＡＰ（アクセス・ポイント）、または無線環境において動作する能力のある他のいかなる種別のインターフェイス・デバイスも含む。
【０００８】
図１は、ｅノードＢ１０５およびＷＴＲＵ１１０を含む無線通信システム１００を示す。ｅノードＢ１０５は、ＲＲＣ（Radio Resource Control）接続再構成メッセージ１１５をＷＴＲＵ１１０に送信するように構成される。
【０００９】
キャリア・アグリゲーションを採用するＬＴＥ−Aシステムにおいて色々なキャリア上にて送受信することを有効化または無効化するための様々な方法および装置を説明する。
【００１０】
〔接続済みモードへの遷移〕
待機モードにおいては、ＷＴＲＵ１１０はシングル・コンポーネント・キャリアのみを監視および処理する。ＳＩ（System Information）獲得およびＰＩ（Paging Indication）監視などの待機モードのプロシージャは、ＷＴＲＵ１１０の複数キャリア能力に対して透過的である。セル選択およびセル再選択のような方式は、キャリア・アグリゲーション（carrier aggregation）（以下、帯域幅集約（bandwidth aggregation）と呼ばれる）能力の有無にかかわらず同じにでき、またはシステム選択への入力として、インフラストラクチャ（ｅノードＢ１０５）の帯域幅集約能力を考慮することができる。しかしながらＷＴＲＵ１１０がＲＲＣ接続済みモードへ遷移するときには（典型的にはＲＲＣ接続要求を通して）、帯域幅集約に関するＷＴＲＵ能力についてＷＴＲＵ１１０がネットワークに通知する。
【００１１】
各帯域に対して下りリンクにおいて同時に監視および処理することが可能な同時に非隣接するコンポーネント・キャリアの数として、ＷＴＲＵ帯域幅集約能力は定義することが可能である。代替の指標は、ＲＦ（Radio Frequency：無線周波数）受信機（色々な受信機が非隣接のキャリアを取り扱う）の数、および各受信機のうちの最大の帯域幅とすることができる。５つのコンポーネント・キャリアがある１つの例を考えると：キャリア１および２は互いに隣接するが、キャリア３、４、および５には隣接せず、そしてキャリア３、４、および５は隣接する。
【００１２】
各帯域に対して下りリンクにおいて同時に監視および処理することが可能な同時に隣接するキャリアの数として、ＷＴＲＵ帯域幅集約能力を定義することも可能である。
【００１３】
キャリアの数のみではなく帯域幅としてもまた、集約された隣接するキャリアのうちの最大のサポートされた帯域幅として、ＷＴＲＵ帯域幅集約能力を定義することも可能である。
【００１４】
集約されたキャリア（隣接するものもしないものも）のうちの最大の合計帯域幅として、ＷＴＲＵ帯域幅集約能力を定義することも可能である。
【００１５】
シングルキャリアごとにサポートされる最大帯域幅として（ＬＴＥの現在のＷＴＲＵ能力に従って）、ＷＴＲＵ帯域幅集約能力を定義することも可能である。
【００１６】
〔コンポーネント・キャリアのＲＲＣ構成〕
ＷＴＲＵが、ＲＲＣ接続プロシージャにおいて、ＷＴＲＵの帯域幅能力についてネットワークに通知した後、帯域幅集約をサポートするｅノードＢは、追加的コンポーネント・キャリア（すなわち予め構成された追加的コンポーネント・キャリア）をサポートするようにＷＴＲＵを構成することができる。これは、ＷＴＲＵが１つまたは複数の追加的下りリンクおよび／または上りリンク・キャリアの監視をセットアップすること（許可および割り付け）を可能とする情報を伝達するＲＲＣ接続再構成メッセージ、により実行することができる。ＲＲＣ接続再構成メッセージ中に含まれる情報には、セル識別、キャリア中心周波数、キャリア帯域幅、キャリア方向（上りリンクまたは下りリンク）、および予め構成された追加的コンポーネント・キャリアの有効化および同期化を時機に即してセットアップするために必要とされる他の情報を含むことができる。
【００１７】
１つのＲＲＣ接続再構成メッセージは、すべての予め構成された追加的コンポーネント・キャリアに対して以前に記述された情報を蓄積することによって１つより多いコンポーネント・キャリアをセットアップするために十分である。
【００１８】
ＲＲＣ接続再構成メッセージの受信のみでは、即時にまたはある遅延の後に、追加的コンポーネント・キャリアの監視および処理を有効化することができない場合がある。この場合、以下で説明されるように、明示的または暗示的な有効化コマンドのみが、ＷＴＲＵが追加的キャリアの監視および処理を開始することを可能にできる。あるいはまた、ＲＲＣ接続再構成メッセージは、再構成プロシージャが成功して完了した後に監視および処理が始まるべきか否かを伝えるフィールドを含むことができる。これは、予め構成された追加的コンポーネント・キャリアが動作可能であることを、セットアップにおいて確認するために有益である。あるいはまた、ＲＲＣ接続再構成メッセージの受信は、即時にまたはある遅延の後に、追加的コンポーネント・キャリアの監視および処理を有効化する。
【００１９】
ＲＲＣ接続再構成メッセージは、タイミング・アドバンス（timing advance）および他の同期化関連情報などの、別のｅノードＢが制御している追加的コンポーネント・キャリアをＷＴＲＵがセットアップすることを可能とする、追加的情報を含むことができる。
【００２０】
ＲＲＣ接続再構成メッセージは、追加的コンポーネント・キャリアごとに１つの特定のＣ−ＲＮＴＩ（Cell Radio Network Temporary Identifier）を提供することが可能である。
【００２１】
ＲＲＣ接続再構成メッセージは、効率のため、各予め構成された追加的コンポーネント・キャリアに、サポートされる同時の追加的コンポーネント・キャリアの最大数までビットの組み合わせを割り付け、この割り付けられたビットの組み合わせを使用することによって、個々のコンポーネント・キャリアの有効化または無効化が言及されるようにする。
【００２２】
〔予め構成された追加的コンポーネント・キャリアを有効化または無効化するための機構〕
【００２３】
〔ＭＡＣ制御要素〕
予め構成された追加的キャリアまたは予め構成された追加的キャリアの予め定義されたサブセットの有効化または無効化は、ＭＡＣ（Medium Access Control）ＣＥ（Control Element：制御要素）の受信の際に生じることができる。この有効化または無効化は、ＭＡＣ  ＣＥの受信後、予め定義された（固定的な、または上位レイヤーの信号方式を通して構成可能な）遅延の後に、または即時に、実施されることができる。これは、ＭＡＣ＿ＣＥ＿Activation（ＭＡＣ  ＣＥ有効化）制御要素と呼ばれる新規種別のＭＡＣ  ＣＥによって実施されるであろう。
【００２４】
ＭＡＣ＿ＣＥ＿有効化制御要素は、いずれの予め構成されたキャリアが有効化または無効化されるかを示すために、ビット組み合わせのフィールドを含むことができる。あるいはまた、有効化または無効化されるキャリアは、ＭＡＣ制御要素を含むＭＡＣ  ＰＤＵの送信に対して使用されるＣ−ＲＮＴＩ値によって示すことができる。あるＭＡＣ＿ＣＥ＿有効化制御要素は、ビット組み合わせを集約すること、または異なったＣ−ＲＮＴＩを使用して複数のＭＡＣ  ＰＤＵを送信することによって、同時に複数のキャリアを有効化または無効化することができる。
【００２５】
コマンドが有効化または無効化のいずれに対応するかの表示は、ビットを設定することによって実行することができ、またはキャリアの現在の有効化または無効化の状態に基づき暗示させることができる。あるいはまた、ＭＡＣ  ＰＤＵを受信したキャリアに基づくことができる。例えば、ＭＡＣ  ＣＥが所与のキャリア（例えば「アンカー・キャリア（anchor carrier）」または「サービング・セル（serving cell）」）において受信されたＭＡＣ  ＰＤＵに含まれる場合には、コマンドはそのＭＡＣ  ＣＥにおいて表されたキャリアの有効化のためのものであると理解される。ＭＡＣ  ＣＥがあるキャリアにおいて受信されたＭＡＣ  ＰＤＵに含まれる場合には（そのＭＡＣ  ＣＥそれ自体の中にはキャリアの明白な表示がない可能性がある）、コマンドは、そのＭＡＣ  ＰＤＵを受信したキャリアに対する無効化、あるいはまた、予め定義されたキャリアのセットに対する無効化であると理解される。
【００２６】
別の代替手段では、すべてのＭＡＣ＿ＣＥ＿有効化は常に特定のキャリア（例えばサービング・セルに相当するキャリア）上にて受信される。
【００２７】
〔要求による有効化〕
新しいＤＣＩ（Downlink Control Information）フォーマット（またはＬＴＥ−Aに対しては修正ＤＣＩフォーマット）による特定のキャリア（「アンカー・キャリア」など）上でのＰＤＣＣＨ（Physical Downlink Control Channel）の受信は、予め構成された追加的上りリンク（ＰＵＳＣＨ）または下りリンク（ＰＤＳＣＨ）のキャリア（または予め構成された追加的上りリンク・キャリアまたは下りリンク・キャリアの予め定義されたサブセット）との送受信がＸのサブフレーム群において行われることをＷＴＲＵに知らせることができる。（新しいキャリア上にてＰＤＣＣＨを監視し始めるためには、リード・タイムのいくつかのサブフレームを必要とする。）この遅延は、ＷＴＲＵのアナログ・フロント・エンドが新しいキャリアに対応することを可能とし、ＰＬＬ（Phase−Locked Loop）およびＡＧＣ（Automatic Gain Control）のセトリング時間ならびに周波数同期を含む。新しいＤＣＩフォーマットは、上で説明されたように、予め構成されたキャリアと有効化とを対応付けるフィールドを含む。これにより、ＷＴＲＵがシングルキャリア（例えば「アンカー・キャリア」と呼ばれる特定のキャリア、またはサービング・セルに相当するキャリア）からＰＤＣＣＨを監視することのみを可能とし、結果的にはバッテリを節約する。アンカー・キャリアからの表示は、追加的コンポーネント・キャリア上での単一の許可または割り付けのためのものでありうる。この場合、許可または割り付けに対応するＨＡＲＱフィードバックはまた、既存システムに比較して遅延する場合がある（ＰＤＣＣＨ伝送に関して）。あるいはまた、アンカー・キャリアからの表示は、このキャリア（またはこれらのキャリア）が無効化されるまで、追加的コンポーネント・キャリアまたはコンポーネント・キャリアのサブセット上にてＰＤＣＣＨを監視し始めるべきであることをＷＴＲＵに知らせることができる。
【００２８】
キャリア（例えば「アンカー・キャリア」）上にて新しいＤＣＩフォーマット（またはＬＴＥ−Aに対しては修正ＤＣＩフォーマット）により受信されたＰＤＣＣＨは、予め構成された追加的コンポーネント・キャリア上にて、時間遅延された割り当て（ＰＲＢ（Physical Resource Block）、ＭＣＳ（Modulation and Coding Set）、および同様のもの）を提供することができる。遅延は、予め構成されたコンポーネント・キャリアに対して同調および同期化するＷＴＲＵの能力に基づく。この遅延は、ＷＴＲＵ能力に基づき固定または可変であることができる。時間遅延された割り当ては、上りリンク割り当てに対して既に使用されている−すなわち４サブフレーム遅延である。しかしながら、この方法は、既存のシステムと比較してより事前に次の上りリンク送信の可能性に関してＷＴＲＵが知ることを可能とする。そのような事前の知識は上りリンク・スケジューリングの決定に対して有益である場合がある。同一のアプローチが、予め構成された追加的コンポーネント・キャリアに対して使用できる。このことは、事前にリソースを割り当てることによって、予め構成された追加的コンポーネント・キャリアが要求に応じて有効化されるという利益をもたらす。
【００２９】
〔暗示的有効化〕
予め決定または構成された時間内に、下りリンク上にて受信されたトラフィックの量（ＰＨＹ（Physical）、ＭＡＣ、ＲＬＣ（Radio Link Control）、またはＰＤＣＰ（Packet Data Convergence Protocol）の各レイヤーにて測定される）が、予め決定または構成された閾値を超える場合には、１つまたはある数のキャリアの暗示的有効化が行われることができる。それぞれが特定のキャリアの有効化に対応する、いくつかの定義された閾値がある。例えば、トラフィックの量がＶｌを超えた場合には、キャリアＣｌを有効化することができ、そしてトラフィックの量がＶ２を超えた場合には、キャリアＣ２を有効化することができるなどである。
【００３０】
また、有効化する下りリンク・キャリアに関連付けられたある上りリンク・キャリア上にて、ＷＴＲＵが送信を（ＲＡＣＨ（Random Access Channel）、ＰＵＣＣＨ（Physical Uplink Control Channel）、またはＰＵＳＣＨ（Physical Uplink Shared Channel）のいずれか上にて）開始した場合には、１つまたはある数のキャリアの暗示的有効化が行われることができる。この関連付けは、事前に定義するか、またはＲＲＣ信号方式（システム情報または専用信号方式）を通してＷＴＲＵに提供することができる。
【００３１】
下りリンク・キャリアが有効化されると、ＷＴＲＵは、このキャリアに対して構成されたＰＤＣＣＨ上にて受信を開始し（ＰＤＣＣＨがキャリアごとに定義されるなら）、ＰＵＣＣＨ上の送信は、このキャリア用にフィードバック情報を送信するように構成される。
【００３２】
〔暗示的無効化〕
暗示的無効化は、追加的コンポーネント・キャリアの有効性に特有な無効化タイマーに基づき実行することができる。例えば、ウェブ・ブラウジング・セッションの間は、アンカー・キャリアのみが有効である。ダウンロードが始まると、このＷＴＲＵに対して予め構成された追加的コンポーネント・キャリア上にてＰＲＢの割り当てを始める。ダウンロードが完了すると、ネットワークは、そのＷＴＲＵに対する予め構成された追加的コンポーネント・キャリアへのリソースの割り付けを止める。ある無効化タイマー（予め構成されたキャリアに特有である）が満了した後に、ＷＴＲＵはＰＤＣＣＨ（すなわちキャリアごとの専用ＰＤＣＣＨ）を監視することを止め、このキャリアに割り当てられたフロント・エンド無線リソースを停止する。あるいはまた、ＷＴＲＵは、このキャリアに対して特に定義されたタイミング整合タイマー（または他のタイマー）の満了の後にキャリアのＰＤＣＣＨを監視することを止めることができる。そのキャリア上にて受信されたＭＡＣ  ＰＤＵからのタイミング整合ＭＡＣ制御要素の受信に基づき、そのようなタイミング整合タイマーを再開することができる。
【００３３】
要求による有効化およびアンカー・キャリア上で共有された制御チャネルの場合、このキャリアへの時間遅延された割り当てが受信されないならすぐに、ＷＴＲＵは、予め構成された追加的コンポーネント・キャリアに割り当てられたフロント・エンド・リソースを停止することが可能である。ＷＴＲＵは、これらのキャリアに関連付けられたフロント・エンド・リソースを停止する前に、予め構成された追加的コンポーネント・キャリアに割り当てることなく、いくつかの連続するサブフレームを待つことが、より適切であるかを判断することができる。
【００３４】
暗示的無効化は、無線状態に基づく場合もある。一例として、キャリアのチャネル状態がある期間ある最小閾値を下回っているなら、フロント・エンド無線リソースは割り当てを取り消す（de−allocate）ことができる。
【００３５】
〔ＰＤＣＣＨ上での明示的無効化の順序〕
ＷＴＲＵがもはやＰＤＣＣＨ（キャリアごとの専用ＰＤＣＣＨ）を監視する必要がないように、コンポーネント・キャリアに特有な無効化順序を送ることによって、明示的無効化を実行することができる。その順序は、専用チャネルに対するアンカー・キャリア上の新しいＤＣＩフォーマットによりＰＤＣＣＨを使用して、送ることができる。あるいはまた、ＰＤＣＣＨを使用する無効化順序は、予め構成された追加的コンポーネント・キャリアに対してのみ送ることができる。
【００３６】
〔ＤＲＸ接続済みモードにおける有効化または無効化〕
ＭＡＣ  ＤＲＸ構成は、キャリア・アグリゲーションでも同じままである。受信期間（on−duration）およびＤＲＸサイクルは、有効化された予め構成された追加的コンポーネント・キャリア（「リソース・キャリア」）に対すると同様に、構成されたキャリア（例えば「アンカー・キャリア」またはサービング・セル）に対して適用される。
【００３７】
ＰＤＣＣＨが、新しい送信に対して有効化された予め構成された追加的コンポーネント・キャリアを介して受信されると、ＷＴＲＵにおいて動作するＤＲＸ無効化タイマー（ＤＲＸ＿Inactivity＿timer）を、始動または再始動することができる。
【００３８】
有効化された予め構成された追加的コンポーネント・キャリアに対して予定された許可が、新しい送信に対して受信されると、ＤＲＸ無効化タイマーをまた、始動または再始動することができる。
【００３９】
あるいはまた、ＭＡＣ  ＤＲＸ構成は、予め構成された追加的コンポーネント・キャリアの各々に対して特有のＤＲＸ無効化タイマーを有することができる。ＰＤＣＣＨ割り付けをこのキャリア上にて受信した場合に、キャリアに関連付けられたＤＲＸ無効化タイマーは、始動または再始動されるであろう。これにより、アンカー・キャリアが有効な時間にある間に、ＷＴＲＵが、次の受信期間サイクルまで、これらの予め構成されたキャリアを効果的に無効化することを可能とするであろう。
【００４０】
ＤＲＸ無効化タイマーに対して前に説明した論理は、受信期間タイマー（ON＿Duration＿Timer）およびＤＲＸ再送信タイマー（ＤＲＸ＿Retransmission＿Timer）などの、他のＤＲＸタイマーにも適用することができる。
【００４１】
図２は、図１のｅノードＢ１０５のブロック図である。ｅノードＢ１０５は、アンテナ２０５、受信機２１０、処理装置２１５、および送信機２２０を含む。受信機２１０は、ＷＴＲＵ１１０の帯域幅集約能力を表す信号を受信するように構成される。送信機２２０は、ＲＲＣ接続再構成メッセージをＷＴＲＵ１１０に送信するように構成される。
【００４２】
図３は、図１のＷＴＲＵ１１０のブロック図である。ＷＴＲＵ１１０は、アンテナ３０５、受信機３１０、処理装置３１５、送信機３２０、およびＤＲＸ（Discontinuous reception：間欠受信）無効化タイマー３２５を含む。
【００４３】
ＷＴＲＵ１１０は、コンポーネント・キャリアを監視および処理する。ＷＴＲＵ１１０の受信機３１０は、シングル・コンポーネント・キャリアを監視および処理するように構成される。ＷＴＲＵ１１０の送信機３２０は、ＷＴＲＵ１１０の帯域幅集約能力を表す信号を送信するように構成される。受信機３１０は、さらに、ＲＲＣ接続再構成メッセージを受信するように構成される。ＷＴＲＵ１１０の処理装置３１５は、少なくとも１つの予め構成された追加的コンポーネント・キャリアを監視および処理するためにセットアップするように構成される。
【００４４】
受信機３１０は、さらに、ＭＡＣ  ＣＥを受信するように構成することができ、そして処理装置３１５は、予め構成された追加的コンポーネント・キャリアを有効化または無効化するように構成することができる。
【００４５】
予め構成された追加的コンポーネント・キャリアは、ＭＡＣ  ＣＥの受信に対応して、即時に有効化または無効化することができ、または予め定義された遅延の後に有効化または無効化することができる。予め構成された追加的コンポーネント・キャリアは、上りリンク・キャリアまたは下りリンク・キャリアとすることができる。
【００４６】
ＷＴＲＵ１１０は、待機モードにある間、シングル・コンポーネント・キャリアを監視および処理することができる。
【００４７】
一例において、帯域幅集約能力は、各帯域に対して下りリンクにおいて同時に監視および処理することが可能な、ある数の同時に非隣接するコンポーネント・キャリアを表すことができる。
【００４８】
別の例において、帯域幅集約能力は、ある数のＲＦ受信機および各受信機のうちの最大の帯域幅を表すことができる。
【００４９】
さらに別の例において、帯域幅集約能力は、各帯域に対して下りリンクにおいて同時に監視および処理することが可能な、ある数の同時に隣接するキャリアを表すことができる。
【００５０】
さらに別の例において、帯域幅集約能力は、集約された隣接するキャリアのうちの最大のサポートされた帯域幅を表すことができる。
【００５１】
さらに別の例において、帯域幅集約能力は、集約されたキャリアのうちの最大の合計帯域幅を表すことができる。
【００５２】
さらに別の例において、帯域幅集約能力は、シングルキャリアごとにサポートされる最大の帯域幅を表すことができる。
【００５３】
帯域幅集約能力は、上で説明された例の１つより多くを表すことができる。
【００５４】
別のシナリオにおいて、受信機３１０は、予め構成された追加的上りリンク・キャリアまたは下りリンク・キャリアとの送受信がある数のサブフレームにおいて行われることになることを表すＰＤＣＣＨを、ＤＣＩフォーマットにより特定のキャリア上にて受信するように構成することができる。処理装置３１５は、予め構成されたキャリアを監視および処理するためにセットアップするように構成することができる。
【００５５】
図４は、コンポーネント・キャリアを監視および処理するためのプロシージャ４００を示す。ステップ４０５において、ＷＴＲＵは、シングル・コンポーネント・キャリアを監視および処理する。ステップ４１０において、ＷＴＲＵは、ＷＴＲＵの帯域幅集約能力を表す信号を送信する。ステップ４１５において、ＷＴＲＵは、ＲＲＣ接続再構成メッセージを受信する。ステップ４２０において、ＷＴＲＵは、少なくとも１つの予め構成された追加的コンポーネント・キャリアを監視および処理するためにセットアップする。ステップ４２５において、ＷＴＲＵは、ＭＡＣ  ＣＥの受信に対応して、予め構成された追加的コンポーネント・キャリアを有効化または無効化する。
【００５６】
図５は、コンポーネント・キャリアを監視および処理するためのプロシージャ５００を示す。ステップ５０５において、ＷＴＲＵは、シングル・コンポーネント・キャリアを監視および処理する。ステップ５１０において、ＷＴＲＵは、予め構成された追加的上りリンク・キャリアまたは下りリンク・キャリアとの送受信がある数のサブフレームにおいて行われることになることを表すＰＤＣＣＨを、ＤＣＩフォーマットにより特定のキャリア上にて受信する。ステップ５１５において、ＷＴＲＵは、予め構成されたキャリアを監視および処理するためにセットアップする。
【００５７】
〔実施形態〕
１．ＷＴＲＵによって実施される、コンポーネント・キャリアを監視および処理するための方法であって、
シングル・コンポーネント・キャリアを監視および処理することと、
ＷＴＲＵの帯域幅集約能力を表す信号を送信することと、
ＲＲＣ（Radio Resource Control）接続再構成メッセージを受信することと、
少なくとも１つの予め構成された追加的コンポーネント・キャリアを監視および処理するためにセットアップすることと
を備えることを特徴とする方法。
【００５８】
２．ＭＡＣ（Medium Access Control）ＣＥ（Control Element）を受信することと、前記予め構成された追加的コンポーネント・キャリアを有効化または無効化することとをさらに備えることを特徴とする実施形態１に記載の方法。
【００５９】
３．前記予め構成された追加的コンポーネント・キャリアは、前記ＭＡＣ  ＣＥを受信することに対応して、即時に有効化または無効化されることを特徴とする実施形態２に記載の方法。
【００６０】
４．前記予め構成された追加的コンポーネント・キャリアは、予め定義された遅延の後に有効化または無効化されることを特徴とする実施形態２に記載の方法。
【００６１】
５．前記予め構成された追加的コンポーネント・キャリアは、上りリンク・キャリアであることを特徴とする実施形態１〜４のいずれかに記載の方法。
【００６２】
６．前記予め構成された追加的コンポーネント・キャリアは、下りリンク・キャリアであることを特徴とする実施形態１〜４のいずれかに記載の方法。
【００６３】
７．前記ＷＴＲＵは、待機モードの間に、前記シングル・コンポーネント・キャリアを監視および処理することを特徴とする実施形態１〜６のいずれかに記載の方法。
【００６４】
８．前記帯域幅集約能力は、各帯域に対して下りリンクにおいて同時に監視および処理することが可能な、ある数の同時に非隣接するコンポーネント・キャリアを表すことを特徴とする実施形態１〜７のいずれかに記載の方法。
【００６５】
９．前記帯域幅集約能力は、ある数のＲＦ受信機および各受信機のうちの最大の帯域幅を表すことを特徴とする実施形態１〜７のいずれかに記載の方法。
【００６６】
１０．前記帯域幅集約能力は、各帯域に対して下りリンクにおいて同時に監視および処理することが可能な、ある数の同時に隣接するキャリアを表すことを特徴とする実施形態１〜７のいずれかに記載の方法。
【００６７】
１１．前記帯域幅集約能力は、集約された隣接するキャリアのうちの最大のサポートされた帯域幅を表すことを特徴とする実施形態１〜７のいずれかに記載の方法。
【００６８】
１２．前記帯域幅集約能力は、集約されたキャリアのうちの最大の合計帯域幅を表すことを特徴とする実施形態１〜７のいずれかに記載の方法。
【００６９】
１３．前記帯域幅集約能力は、シングルキャリアごとにサポートされる最大の帯域幅を表すことを特徴とする実施形態１〜７のいずれかに記載の方法。
【００７０】
１４．ＷＴＲＵによって実施される、コンポーネント・キャリアを監視および処理するための方法であって、
シングル・コンポーネント・キャリアを監視および処理することと、
予め構成された追加的上りリンク・キャリアまたは下りリンク・キャリアとの送受信がある数のサブフレームにおいて行われることになることを表すＰＤＣＣＨ（Physical Downlink Control Channel）を、ＤＣＩ（Downlink Control Information）フォーマットにより特定のキャリア上にて受信することと、
前記予め構成されたキャリアを監視および処理するためにセットアップすることと
を備える特徴とする方法。
【００７１】
１５．コンポーネント・キャリアを監視および処理するためのＷＴＲＵであって、
シングル・コンポーネント・キャリアを監視および処理するように構成される受信機と、
ＷＴＲＵの帯域幅集約能力を表す信号を送信するように構成される送信機と、
ＲＲＣ（Radio Resource Control）接続再構成メッセージを受信するようにさらに構成される前記受信機と、
少なくとも１つの予め構成された追加的コンポーネント・キャリアを監視および処理するためにセットアップするように構成される処理装置と
を備えたことを特徴とするＷＴＲＵ。
【００７２】
１６．前記受信機は、ＭＡＣ（Medium Access Control）ＣＥ（Control Element）を受信するようにさらに構成されることと、前記処理装置は、前記予め構成された追加的コンポーネント・キャリアを有効化または無効化するように構成されることとを特徴とする実施形態１５に記載のＷＴＲＵ。
【００７３】
１７．前記予め構成された追加的コンポーネント・キャリアは、前記ＭＡＣ  ＣＥの受信に対応して、即時に有効化または無効化されることを特徴とする実施形態１６に記載のＷＴＲＵ。
【００７４】
１８．前記予め構成された追加的コンポーネント・キャリアは、予め定義された遅延の後に有効化または無効化されることを特徴とする実施形態１６に記載のＷＴＲＵ。
【００７５】
１９．前記予め構成された追加的コンポーネント・キャリアは、上りリンク・キャリアであることを特徴とする実施形態１５〜１８のいずれかに記載のＷＴＲＵ。
【００７６】
２０．前記予め構成された追加的コンポーネント・キャリアは、下りリンク・キャリアであることを特徴とする実施形態１５〜１８のいずれかに記載のＷＴＲＵ。
【００７７】
２１．前記ＷＴＲＵは、待機モードにおける間に、前記シングル・コンポーネント・キャリアを監視および処理することを特徴とする実施形態１５〜２０のいずれかに記載のＷＴＲＵ。
【００７８】
２２．前記帯域幅集約能力は、各帯域に対して下りリンクにおいて同時に監視および処理することが可能な、ある数の同時に非隣接するコンポーネント・キャリアを表すことを特徴とする実施形態１５〜２１のいずれかに記載のＷＴＲＵ。
【００７９】
２３．前記帯域幅集約能力は、ある数のＲＦ受信機および各受信機のうちの最大の帯域幅を表すことを特徴とする実施形態１５〜２１のいずれかに記載のＷＴＲＵ。
【００８０】
２４．前記帯域幅集約能力は、各帯域に対して下りリンクにおいて同時に監視および処理することが可能な、ある数の同時に隣接するキャリアを表すことを特徴とする実施形態１５〜２１のいずれかに記載のＷＴＲＵ。
【００８１】
２５．前記帯域幅集約能力は、集約された隣接するキャリアのうちの最大のサポートされた帯域幅を表すことを特徴とする実施形態１５〜２１のいずれかに記載のＷＴＲＵ。
【００８２】
２６．前記帯域幅集約能力は、集約されたキャリアのうちの最大の合計帯域幅を表すことを特徴とする実施形態１５〜２１のいずれかに記載のＷＴＲＵ。
【００８３】
２７．前記帯域幅集約能力は、シングルキャリアごとにサポートされる最大の帯域幅を表すことを特徴とする実施形態１５〜２１のいずれかに記載のＷＴＲＵ。
【００８４】
２８．コンポーネント・キャリアを監視および処理するためのＷＴＲＵであって、
シングル・コンポーネント・キャリアを監視および処理するように構成される受信機と、
予め構成された追加的上りリンク・キャリアまたは下りリンク・キャリアとの送受信がある数のサブフレームにおいて行われることになることを表すＰＤＣＣＨ（Physical Downlink Control Channel）を、ＤＣＩ（Downlink Control Information）フォーマットにより特定のキャリア上にて受信するように構成される前記受信機と、
前記予め構成されたキャリアを監視および処理するためにセットアップするように構成される処理装置と
を備えたことを特徴とするＷＴＲＵ。
【００８５】
特徴および要素は、特定の組み合わせにて上述されているが、各特徴または要素は、他の特徴および要素なしで単独にて、または他の特徴および要素のあるなしにかかわらず様々な組み合わせにて使用することができる。本明細書に提供される方法またはフロー図は、汎用目的のコンピューターまたは処理装置による実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Read Only Memory）、ＲＡＭ（Random Access Memory）、レジスター、キャッシュ・メモリ、半導体メモリ・デバイス、内蔵ハード・ディスクおよび着脱可能ディスクなどの磁気媒体、光磁気媒体、ならびにＣＤ−ＲＯＭディスクおよびＤＶＤ（Digital Versatile Disk）などの光学媒体が含まれる。
【００８６】
適当な処理装置の例としては、汎用目的処理装置、専用目的処理装置、従来の処理装置、ＤＳＰ（Digital Signal Processor：デジタル信号処理装置）、複数のマイクロ処理装置、ＤＳＰコアに関連付けられた１つまたは複数のマイクロ処理装置、制御装置、マイクロ制御装置、ＡＳＩＣ（Application Specific Integrated Circuit）、ＡＳＳＰ（Application Specific Standard Product）)、ＦＰＧＡ（Field Programmable Gate Array）回路、他のいずれかの種別のＩＣ（Integrated Circuit：集積回路）、および／または状態マシンが含まれる。
【００８７】
ＷＴＲＵ、ＵＥ、端末、基地局、ＭＭＥ（Mobility Management Entity）もしくはＥＰＣ（Evolved Packet Core）、または任意のホスト・コンピューターにおいて使用するための無線周波数送受信機を実施するために、ソフトウェアに関連付けられた処理装置を使用することができる。ＷＴＲＵは、ＳＤＲ（Software Defined Radio：ソフトウェア無線）、およびカメラ、ビデオ・カメラ・モジュール、テレビ電話、スピーカーフォン、振動デバイス、スピーカー、マイクロホン、テレビ送受信機、ハンズフリー受話器、キーボード、Bluetooth（登録商標）モジュール、ＦＭ（Frequency Modulated）無線ユニット、ＮＦＣ（Near Field Communication）モジュール、ＬＣＤ（Liquid Crystal Display）表示ユニット、ＯＬＥＤ（Organic Light−Emitting Diode）表示ユニット、デジタル音楽プレーヤー、メディア・プレーヤー、テレビゲーム・プレーヤー・モジュール、インターネット・ブラウザー、および／または任意のＷＬＡＮ（Wireless Local Access Network：無線ＬＡＮ）モジュールもしくはＵＷＢ（Ultra Wide Band）モジュールなどの構成要素を含む、ハードウェアおよび／またはソフトウェアにて実施される、モジュールと連動して使用することができる。
【図１】
0005866427.tif 000002
【図２】
0005866427.tif 000003
【図３】
0005866427.tif 000004
【図４】
0005866427.tif 000005
【図５】
0005866427.tif 000006